(57)【要約】【課題】液体試料に光を照射することにより該液体試料の内部を通過した光を検出する光学特性測定装置において、その光が液体試料の内部を通過する距離を一定にする。【解決手段】試料セル２１と、試料セル２１に収容された液体試料２０の液面から所定の距離だけ内側に、該液面に最も近い節が位置する、該液面に垂直な音響定在波を前記試料中に形成する定在波形成器４０と、所定の音響インピーダンスを有する材料からなり、その内部に前記液体試料が流入し、上端が前記液面よりも上方に、下端が前記節よりも下方に位置するように配置される筒状体２３と、筒状体２３の内部の液面に測定光を照射する光源３０と、前記液面から出射される光を検出する検出器５０とを備えることを特徴とする光学特性測定装置。【選択図】図１
2019070590.tif 000002
【特許請求の範囲】
【請求項１】
a) 試料セルと、
b) 前記試料セルに収容された液体試料の液面から所定の距離だけ内側に、該液面に最も近い節が位置する、該液面に垂直な音響定在波を該液体試料の内部に形成する定在波形成器と、
c) 所定の音響インピーダンスを有する材料からなり、その内部に前記液体試料が流入し、上端が前記液面よりも上方に、下端が前記節よりも下方に位置するように配置される筒状体と、
d) 前記筒状体の内部の液面に測定光を照射する光源と、
e) 前記液面から出射される光を検出する検出器と
を備えることを特徴とする光学特性測定装置。
【請求項２】
請求項１に記載の光学特性測定装置において、
前記筒状体の外周に、該筒状体の形状を維持するための補助部材が取り付けられている
ことを特徴とする光学特性測定装置。
【請求項３】
請求項１又は２に記載の光学特性測定装置において、さらに、
f) 前記光源からの光が前記液体試料に照射されたときの前記検出器の検出結果に基づき、該液体試料の光学特性を求める光学特性算出器
を備え、
前記光学特性算出器が、前記定在波形成器により前記液体試料の内部に音響定在波が形成されているときの前記検出器の検出結果に基づき、該液体試料の光学特性を求める
ことを特徴とする光学特性測定装置。
【請求項４】
請求項３に記載の光学特性測定装置において、さらに、
g) 前記音響定在波形成器により前記液体試料の内部に前記音響定在波が形成されている第１状態と前記液体試料の内部に前記音響定在波が形成されていない第２状態に切り替える切替器と
を備え、
前記光学特性算出器が、前記第１状態にあるときの前記検出器の検出結果と、前記第２状態にあるときの前記検出器の検出結果とから、前記液体試料の光学特性を求める
ことを特徴とする光学特性測定装置。
【請求項５】
請求項３に記載の光学特性測定装置において、さらに、
h) 前記定在波形成器により対照試料の内部に前記音響定在波が形成されている状態で該対照試料に前記光源からの光が照射されたときの前記検出器の検出結果である対照試料検出結果を記憶する記憶部を備え、
前記光学特性算出器が、前記定在波形成器により前記液体試料の内部に音響定在波が形成されている状態で前記液体試料の表面に光を照射したときの前記検出器の検出結果と、前記対照試料検出結果とから、前記液体試料の光学特性を求める
ことを特徴とする光学特性測定装置。
【請求項６】
請求項１から５のいずれかに記載の光学特性測定装置において、さらに、
i) 前記定在波形成器が形成する前記音響定在波の波長を変更する波長変更器
を備えることを特徴とする光学特性測定装置。
【請求項７】
請求項１から６のいずれかに記載の光学特性測定装置において、
前記定在波形成器が、音波振動子と、該音波振動子が発する音波振動の周波数及び／又は振幅を変更する音波振動変更部とを備える
ことを特徴とする光学特性測定装置。
【請求項８】
請求項５に記載の光学特性測定装置において、
前記液体試料が既知物質と未知物質からなる複合試料であり、前記対照試料が前記既知物質である
ことを特徴とする光学特性測定装置。
【請求項９】
請求項１から８のいずれかに記載の光学特性測定装置において、
前記光源が、所定の波長範囲の光を出射する多波長光源であり、
前記検出器が、波長毎の光の強度を測定する分光光度計であることを特徴とする光学特性測定装置。
【請求項１０】
請求項１から９のいずれかに記載の光学特性測定装置において、
前記検出器が、光干渉断層計であることを特徴とする光学特性測定装置。
【発明の詳細な説明】
【技術分野】
【０００１】
本発明は、試料に光を照射したときの透過光に基づき該試料の光学特性を測定する光学特性測定装置に関する。
【背景技術】
【０００２】
試料の種類や該試料に含まれる成分を同定する手法の一つに、屈折率や吸光度、透過率、分光特性（スペクトル）等の光学特性を利用する方法がある。これらの方法では、光源からの光を試料に照射したときの透過光の波長や強度を検出器で検出することにより光学特性を測定する（特許文献１、２）。
【０００３】
試料を通過する光は、該試料に含まれる成分に吸収されたり該成分によって散乱されたりするため、試料を透過した光の強度は、試料の内部を通過した距離（光路長）に依存する。従って、透過光の強度を試料中の成分の濃度のみに対応したものとするためには、透過光の光路長を一定にする必要がある。
【０００４】
液体試料を測定する場合、該液体試料は光源からの光に対して透過性を有する材料から形成された試料セルに封入又は流通される。試料セルは、例えば内部に液体試料の収容空間を有する角筒状の容器から成る。収容空間の大きさは一定であるため、光源からの光を試料セルの対向する側壁の一方から入射させ、他方から出射させると、その出射光が収容空間内を通過した距離、つまり、光路長を一定にすることができる。
【０００５】
測定対象の液体試料が生体由来のもの（例えば血液）や有機化合物などである場合、その光学特性の測定に中赤外領域の光が用いられることが多い。中赤外領域の光は、水による吸収率が非常に高く、光路長が100μmを超えるとほぼ全ての光がそれらの液体試料に含まれる水に吸収されてしまう。そのため、中赤外領域の光をそれらの液体試料に照射してその光学特性を測定する場合は、収容空間を小さくした試料セルが用いられる。ところが、収容空間が小さいと、該収容空間に液体試料を入れる際に入り込んでしまった気泡が抜けにくい。また、液体試料の粘度が高い場合は収容空間に充填することが難しい。さらに、収容空間が小さいと試料セルを洗浄し難いという問題もある。
【０００６】
これに対して、２枚の板状の窓材の間にリング状のスペーサを挟み、これらをホルダーで共締めすることにより構成された組み立て式の試料セルがある。この試料セルでは、１枚の窓材の上にスペーサを載せた状態で該スペーサの内側に液体試料をやや過大に入れ、もう１枚の窓材をスペーサの上に被せてホルダーで共締めする。このような組み立て式の試料セルを用いると、どのような液体試料であっても、２枚の窓材とスペーサに囲まれた空間に容易に、また、気泡を含むことなく充填することができる。また、上記試料セルは、ホルダーを外すことにより窓材とスペーサを分離することができるため、試料セルを容易に洗浄することができる。
【先行技術文献】
【特許文献】
【０００７】
【特許文献１】特開2008-309706号公報
【特許文献２】特開2008-309707号公報
【発明の概要】
【発明が解決しようとする課題】
【０００８】
上記組み立て式の試料セルでは２枚の窓材のうちの一方側から他方側に向かって光が通過するように光源からの光が照射される。従って、２枚の窓材の間隔が光路長となる。ところが、２枚の窓材の間隔はホルダーの締め具合によって僅かながら変化するという問題がある。
【０００９】
本発明が解決しようとする課題は、液体試料に光を照射することにより該液体試料の内部を通過した光を検出する光学特性測定装置において、その光が液体試料の内部を通過する距離を一定にすることである。
【課題を解決するための手段】
【００１０】
本発明者は、上記の課題を解決することができる以下の光学特性測定装置を発明し、先に特許出願した（以下、この光学特性測定装置を「先願の装置」と呼ぶ。）。
【００１１】
即ち、先願の装置は、
試料の表面に光を照射する光源と、
前記表面から所定の距離だけ内側に該表面に最も近い節が位置する、該表面に垂直な音響定在波を前記試料中に形成する定在波形成器と、
前記光入射表面に対して前記光源と同じ側に配置された、前記試料の表面から出射された光を検出する検出器と
を備えたものである。
【００１２】
先願の装置は固体試料の測定と液体試料の測定の両方に使用することができる。
先願の装置は、試料内に音響定在波が形成されると試料内に密度が高い部分と低い部分（つまり「粗密」）が生じる現象を利用している。
上記「試料の表面から所定の距離だけ内側に節が位置する、前記光入射に垂直な音響定在波」は、試料の表面に垂直な方向に沿って腹と節が順に並ぶ定在波をいう。
【００１３】
この装置を液体試料の測定に用いる場合を例にその作用を説明する。
先願の装置では、定在波形成器により試料セルに収容された液体試料の内部に、その表面（液面）から所定の距離だけ内側に節が位置する、該液面に垂直な音響定在波を形成する。これにより、液体試料の内部では、液体試料中の成分が節近傍に凝集して該節近傍の密度が増加し、その部分（以下、節部分）の屈折率が、腹部分を含むその他の部分よりも高くなる。前記音響定在波は、液面から所定の距離だけ内側に該液面に最も近い節（液面から１番目の節）が位置するものであることから、液体試料の内部では、１番目の節部分と、該１番目の節部分と液面によって挟まれた部分との間で屈折率差が生じ、この屈折率差による見かけ上の反射面が形成される。このように、液体試料の内部に音響定在波が形成されている状態で光源からの光を液面に照射すると、その光の一部は液面で反射され、一部は液面から液体試料の内部に進入した後、上記した見かけ上の反射面で反射されて液面から出射し、検出器により検出される。つまり、液面から出射される光には、液面における反射光と、液体試料内部の見かけ上の反射面による反射光が含まれることになる。見かけ上の反射面による反射光は液体試料の内部を前記所定の距離の倍の距離だけ通過（往復）した光であり、試料の光学特性を反映したものとなる。
【００１４】
このように、先願の装置では、液面から所定の距離だけ内側に節が位置するような音響定在波が形成され、液体試料の内部の所定の位置に見かけ上の反射面が形成されるため、光源から発せられた後、液体試料の内部に進入し、該見かけ上の反射面で反射されて液面から出射される光が液体試料の内部を通過する距離、つまり光路長を一定にすることができる。このように、先願の装置を用いることにより液体試料の内部を通過する光の光路長を一定にすることができる。
【００１５】
先願の装置を用いて液体試料を測定する際に、該液体試料の内部に形成される音響定在波の振幅を大きくすることにより、液体試料の内部で粗密の差を増大させて節部分と腹部分の屈折率差を大きくし、前記見かけ上の反射面による光の反射効率を高めて測定感度を向上することができる。しかし、液体試料の内部に形成される音響定在波の振幅を大きくしていくと、液体試料の内部に生じる対流が徐々に大きくなって液面に揺れが生じ（波打ち）、該液面に照射された光が液面で反射する方向と、液面から液体試料内に進入したあと該液面から外部に出射する光の方向とが変動して、それらの光を安定的に検出することが難しくなる。このような場合、光学特性測定装置を次のような構成とするのが有効である。
【００１６】
即ち、本発明に係る光学特性測定装置は、
a) 試料セルと、
b) 前記試料セルに収容された液体試料の液面から所定の距離だけ内側に、該液面に最も近い節が位置する、該液面に垂直な音響定在波を該液体試料の内部に形成する定在波形成器と、
c) 所定の音響インピーダンスを有する材料からなり、その内部に前記液体試料が流入し、上端が前記液面よりも上方に、下端が前記節よりも下方に位置するように配置される筒状体と、
d) 前記筒状体の内部の液面に測定光を照射する光源と、
e) 前記液面から出射される光を検出する検出器と
を備えることを特徴とする。
【００１７】
前記所定の音響インピーダンスを有する材料は、測定対象である液体試料の音響インピーダンスと異なる音響インピーダンスを有する材料をいう。
【００１８】
本発明に係る光学特性測定装置では、試料セルの内部に、所定の（測定対象の液体試料と異なる）音響インピーダンスを有する材料からなる中空の筒状体を配置する。この光学特性測定装置でも先願の装置と同様に、光源から試料を測定するための測定光を試料セルに収容された液体試料の表面に照射するとともに、定在波形成器により液面から所定の距離だけ内側に該液面に最も近い節が位置する、該液面に垂直な音響定在波を形成する。先願の装置では、定在波形成器により与えられる音波が試料セルに収容された液体試料全体に広がっていく。この音波は基本的には鉛直方向に伝播するが、その指向性は完全ではなく、わずかながら水平方向にも伝播する。そのため、液体試料に与える音波の振幅を大きくすると液体試料の内部に生じる対流が徐々に大きくなって液面に揺れが生じる。本発明に係る光学特性測定装置では、試料セルの内部に、測定対象の液体試料と異なる音響インピーダンスを有する材料からなる筒状体を、その上端が液面よりも上方に、下端が液面に最も近い節よりも下方に位置するように配置するため、該筒状体の内部では、液体試料の内部に対流を生じさせる要因となる、音波の水平方向への伝播が抑制される。従って、液体試料の内部に形成される音響定在波の振幅を大きくしても筒状体の内部の液面に揺れは生じず、該液面から出射する光が検出器によって安定的に検出されるため、先願の装置よりも測定感度を高くすることができる。
【発明の効果】
【００１９】
本発明に係る光学特性測定装置を用いることにより、液体試料に光を照射することにより該液体試料内を通過した光を検出する光学特性測定装置及び方法において、その光が液体試料内を通過した距離を一定にすることができる。また、先願の光学特性測定装置よりも測定感度を高くすることができる。
【図面の簡単な説明】
【００２０】
【図１】本発明に係る光学特性測定装置の一実施例の概略構成図。
【図２】本実施例の光学特性測定装置において、試料セルに収容された液体試料の内部に音響定在波が形成されている状態を示す図。
【図３】本実施例の光学特性測定装置において、試料セルに収容された試料の内部に音響定在波が形成されていない状態を示す図。
【図４】本実施例の光学特性測定装置において、試料セルに収容された対照試料の内部に定在波が形成されている状態を示す図。
【図５】先願の光学特性測定装置における、加振前の液面及び加振中の液面と仮想反射面の様子を示す図。
【図６】x-y平面に位置する直径20mmの円形振動面からz軸方向に放射される音圧波面の伝播のシミュレーション結果を説明する図。
【図７】x-y平面に位置する直径20mmの円形振動面からz軸方向に放射される音圧波面の伝播のシミュレーション結果を説明する別の図。
【図８】実験１においてアルミチューブを用いたときの、加振中の液面及び仮想反射面の様子を示す図。
【図９】実験１においてビニールチューブを用いたときの、加振中の液面及び仮想反射面の様子を示す別の図。
【図１０】実験２において使用した筒状体と各筒状体を用いた結果。
【図１１】実験３において実施例として使用した試料セル。
【図１２】実験３において比較例として使用した試料セル。
【図１３】実験３で使用した光学測定装置の構成図。
【図１４】実施例３において実施例の試料セルを使用することにより得られたスペクトル。
【図１５】実施例３において比較例の試料セルを使用することにより得られたスペクトル。
【図１６】変形例の光学特性測定装置の概略構成図。
【発明を実施するための形態】
【００２１】
本発明に係る光学特性測定装置の一実施例について、以下、図面を参照して説明する。
【００２２】
図１に本実施例の光学特定測定装置の概略構成を示す。この光学特性測定装置は、測定対象の液体試料２０（以下、単に「試料２０」という）が収容されるとともに、その内部に中空の筒状体２３が配置された試料セル２１と、該試料２０の表面（液面）に光を照射する光源３０と、定在波形成部４０と、光源３０からの光が入射する試料２０の表面（液面）から出射された光を検出する検出器５０と、該検出器５０による検出信号をデジタルデータに変換するアナログ−デジタル変換部（Ａ／Ｄ変換部）６０と、アナログ−デジタル変換された検出データに対して所定のデータ処理を行うデータ処理部７０とを備えている。
【００２３】
試料セル２１は、上下に開口部を有する角筒状の容器２２と、下部の開口部を塞ぐ窓材２４から構成されている。本実施例では試料セル２１の上部を開放しているが、上部に透光性の窓材を配置してもよい。
【００２４】
定在波形成部４０は、超音波振動子４１と該超音波振動子４１を駆動する駆動部４２とから構成されている。超音波振動子４１は、試料セル２１の底面に載置されており、その上部には筒状体２３が載置されている。筒状体２３の上端は液面よりも上方に露出している。ここでは、筒状体２３が超音波振動子４１の上面（超音波発生面）に接触した配置を示しているが、これらは離間していてもよい。
【００２５】
駆動部４２は、交流電源４２１が出力する交流電力の周波数を調整する周波数調整部４２２と、超音波振動子４１が発生する超音波の振幅を調整する振幅調整部４２３を備えている。駆動部４２には使用者によって操作される操作部４２４が接続されており、該操作部４２４からの入力信号に基づき駆動部４２は、超音波振動子４１の動作をオン／オフしたり、交流電力の周波数を調整したり、あるいは超音波振動子４１が発生する超音波の振幅を調整したりする。従って、操作部４２４及び駆動部４２は本発明における切替器に相当する。また、周波数調整部４２２、振幅調整部４２３は、本発明における波長変更器、音波振動変更部に相当する。
【００２６】
光源３０からの光はハーフミラー８３によって反射された後、試料２０の表面に照射される。また、試料２０の表面から出射された光はハーフミラー８３を透過した後、検出器５０に入射する。検出器５０としては、光電子増倍管、フォトダイオード、ＣＣＤ、焦電検出器等の光検出器や分光光度計等を用いることができる。図１に示す実施例ではハーフミラー８３を用いたが、光源３０からの光が直接、試料２０の表面に入射し、試料２０の表面から出射された光が直接検出器５０に入射するように、試料２０、光源３０及び検出器５０を配置するようにしても良い。その場合は、ハーフミラー８３を省略することができる。
【００２７】
データ処理部７０は、アナログ−デジタル変換された検出データを収集するデータ収集部７１と、収集した検出データを解析するデータ解析部７２と、データ解析部７２による解析の際に用いられるデータベース７３と、検出データを用いて試料の光学特性である吸光度（又は透過率）を計算し、吸光スペクトルを作成する吸光度算出部７４とを含む。吸光度算出部７４は本発明における光学特性算出器に相当する。
【００２８】
データ処理部７０の機能は、専用のハードウェアを用いて実現することも可能であるが、汎用のパーソナルコンピュータをハードウェア資源とし、該パーソナルコンピュータにインストールされた専用の処理ソフトウェアを実行することにより実現するのが一般的である。データ処理部７０は、パーソナルコンピュータに接続された、各種の入力操作を行うためのキーボードやポインティングデバイス（マウス等）による入力部８１や測定結果等を表示するためのモニタ８２を備えている。
【００２９】
図１に示す光学特性測定装置において超音波振動子４１を動作させると、図２に示すように、試料２０の内部には超音波振動子４１の表面（超音波発生面）に垂直な音響定在波Ｓｗが形成される。なお、図２では音響定在波Ｓｗを分かりやすく示すために筒状体２３の図示を省略している。図１に示す試料２０は、超音波振動子４１の表面（音波発生面）と光源３０からの光が入射する面（液面）が平行であるため、前記音響定在波Ｓｗは液面とも垂直となる。また、超音波振動子４１に供給する交流電力の周波数や超音波振動子４１が発生する超音波の振幅を適宜、調整することにより、光源３０からの光が入射する面から所定の距離だけ内側に節が位置するような音響定在波Ｓｗを形成することができる。
【００３０】
図２では、試料２０内に超音波振動子側及び液面側の両方が自由端の音響定在波Ｓｗが形成される様子を示した。音響定在波Ｓｗの液面側の端部が自由端と固定端のいずれになるかは、液面において接する材質の音響インピーダンスの大きさによって決まる。図２の例では、液面では試料２０と空気が接しており、空気の音響インピーダンスが試料２０よりも小さいため、自由端となる。液面側の音響定在波Ｓｗの端部が自由端であることから、音響定在波Ｓｗの波長をλとすると、液面から該液面に最も近い節（最初の節）までの距離はλ／４となる。
【００３１】
次に、図２〜図４を参照して、本実施例の光学特性測定装置を用いた光学特性の測定原理を説明する。なお、図３及び図４についても、図２と同様に、筒状体２３の図示を省略している。
【００３２】
図２は、定在波形成部（超音波振動子４１）により試料２０の内部に音響定在波Ｓｗが形成されている状態、図３は試料２０の内部に音響定在波が形成されていない状態、図４は対照試料２０Ａの内部に音響定在波Ｓｗが形成されている状態を示している。いずれの状態においても、光源３０からの光（照射光）が試料２０又は対照試料２０Ａに照射されると、該照射光の一部は試料２０又は対照試料２０Ａの表面（液面）で反射され（以下、これを表面反射光という）、一部は試料２０又は対照試料２０Ａの内部に進入する。
【００３３】
試料２０の内部に音響定在波Ｓｗが形成されると、該音響定在波Ｓｗの節と腹によって試料２０内の節近傍の密度がその他の領域の密度よりも大きくなる。つまり、試料２０の内部に周期的な粗密が生じる。物質の屈折率と該物質の密度は比例関係にあるため、密度が大きくなる節の位置では、屈折率が他の領域の屈折率よりも大きくなる。この結果、音響定在波Ｓｗの節の位置とそれ以外の領域の間に屈折率の差が生じ、節の位置には見かけ上の反射面（以下、「仮想反射面」という）が形成される。このため、試料２０の表面から該試料２０の内部に進入した照射光の一部は前記仮想反射面によって反射された後、試料２０の表面から出射され、前記照射光の一部は仮想反射面を通過する。以下の説明では、仮想反射面によって反射された光を、内部反射光という。以上より、試料２０内に音響定在波Ｓｗが形成された状態で光源３０からの光を試料２０に照射したときに、該試料２０の表面から射出される光は、表面反射光及び内部反射光となる。
【００３４】
なお、照射光の進行方向における試料２０の長さ及び音響定在波Ｓｗの波長の長さ等により、試料２０の内部には１乃至複数の仮想反射面が形成される。試料２０の内部に複数の仮想反射面が形成されている場合、試料２０内に進入し、該試料２０の表面（液面）側から１番目の仮想反射面を通過した照射光の一部は２番目の仮想反射面で反射され、残りは２番目の仮想反射面を通過することになる。３番目以降の仮想反射面も同様である。しかし、１番目の仮想反射面で反射される光量に比べると、２番目以降の仮想反射面で反射される光量は非常に少ないため、ここでは、１番目の仮想反射面によって反射された光のみを考えることとする。
【００３５】
内部反射光は、試料２０の表面（液面）から前記仮想反射面までの距離の２倍の距離だけ試料２０の内部を通過した後、液面から外部に出射する。内部反射光は、試料２０の内部に進入した光が試料２０による吸収、散乱等の影響を受けた後の光であり、試料２０の光学特性を反映したものであるため、背景技術において説明した「透過光」に相当する。仮想反射面は、試料２０内に形成される音響定在波Ｓｗの節のうち、試料２０の表面から１つ目の節の位置に形成される。音響定在波Ｓｗの節の位置は該音響定在波Ｓｗの波長によって決まり、音響定在波Ｓｗの波長は超音波振動子４１の超音波振動の周波数又は周期によって決まる。従って、超音波振動子４１の超音波振動の周波数又は周期を適宜の値に調整することにより仮想反射面の位置、つまり、内部反射光の光路長を調整することができる。例えば、試料２０が血液等の生体由来のものや有機化合物であり、光源３０から中赤外領域の光を照射する場合には、内部反射光の光路長が100μm以下となるように調整するとよい。
【００３６】
一方、試料２０内に音響定在波が形成されていない状態では、該試料２０内には仮想反射面が形成されない（図３参照）。このため、試料２０の表面から該試料２０の内部に進入した照射光は、そのまま試料２０内を通過して該試料２０に吸収されたり、試料２０の表面とは反対側に取り付けられた窓材２４から試料セル２１の外部に放射されたり、或いは、該窓材２４で反射された後、試料２０に吸収されたりする。以上より、試料２０内に音響定在波が形成されていない状態で光源３０からの光を試料２０に照射したときに、該試料２０の表面から射出される光は、ほぼ表面反射光のみとなる。
【００３７】
従って、試料２０の内部に音響定在波Ｓｗが形成されている状態、及び音響定在波が形成されていない状態のそれぞれにおいて、光源３０からの光を試料２０に照射したときに検出器５０で検出された結果から、内部反射光の強度、つまり試料２０の光学特性（吸光度）を求めることができる。
【００３８】
光源３０から試料２０に照射される光（照射光）の波長λの光量をＩ０(λ)、試料２０の表面からの波長λの反射率をα(λ)とすると、試料２０の表面からの波長毎の反射光量はα(λ)×Ｉ０(λ)となる。ここで、反射率α(λ)は大気の屈折率と試料２０の屈折率によって決まる。
【００３９】
試料２０の内部に入射する光量は、照射光の光量から表面反射光の光量を差し引いた値であり、波長λの内部入射光量は(１−α(λ))×Ｉ０(λ)と表すことができる。従って、波長λの内部反射光の光量をＩ(λ)とすると、波長λの吸光度Ａ(λ)は下記式により算出することができる。
Ａ(λ)＝−log10［Ｉ(λ)/((１−α(λ))×Ｉ０(λ))］
【００４０】
試料２０の屈折率が分かれば、反射率α(λ)は、波長毎の屈折率の違いである分散n(λ)を考慮してフレネル反射則から理論的に求めることができる。また、試料２０の屈折率が不明なために反射率α(λ)が求められない場合でも実験的に求めることが可能である。要は、試料２０の内部に音響定在波Ｓｗが形成されている状態及び形成されていない状態のそれぞれで、光源３０からの光を試料２０に照射したときに該試料２０の表面から発せられた光の検出結果から、試料２０の分光吸光度を求めることができる。
【００４１】
試料２０の相対的な光学特性を求める場合、あるいは、試料２０（生体組織液や血液等）に含まれる１乃至複数の成分の光学特性を求める場合は、試料２０の内部に音響定在波Ｓｗが形成されている状態、及び対照試料２０Ａの内部に音響定在波Ｓｗが形成されている状態のそれぞれにおける検出器５０の検出結果を用いると良い。対照試料２０Ａとしては、試料２０の標準品とされているもの、あるいは、試料２０から１乃至複数の特定の成分を除いたものなど（例えば純水）を用いることができる。
【００４２】
具体的には、図４に示すように、試料セル２１に対照試料２０Ａを収容した状態で、該対照試料２０Ａの内部に音響定在波Ｓｗを形成する。そして、この状態で、光源３０からの光を対照試料２０Ａに照射する。この結果、対照試料２０Ａの表面からは、表面反射光と内部反射光が出射される。
【００４３】
照射光の波長毎の光量をＩ０(λ)とすると、対照試料２０Ａの表面から出射される表面反射光の波長毎の光量は試料２０の表面反射光の光量とほぼ同じであり、α(λ)×Ｉ０(λ)と考えることができる。一方、内部反射光の波長毎の光量Ｉｂ(λ)は対照試料２０Ａの光学特性を反映したものとなる。
【００４４】
従って、試料２０の内部に音響定在波Ｓｗが形成されている状態、及び対照試料２０Ａの内部に音響定在波Ｓｗが形成されている状態のそれぞれにおける検出器５０の検出結果から、試料２０の相対的な光学特性、あるいは試料２０に含まれる成分の光学特性を求めることができる。
【００４５】
この測定原理によれば、試料２０の内部に形成される音響定在波の振幅を大きくすれば、試料２０の内部の粗密の差が増大して節部分と腹部分の屈折率差が大きくなる。これにより仮想反射面による光の反射効率を向上し、表面反射光の強度を大きくして測定感度を高めることができる。
【００４６】
そこで、先願の装置において超音波振動子４１に付与する電圧を高くし、試料２０の内部に形成される音響定在波の振幅を大きくしたところ、試料２０の液面に揺れが生じたため、光源及び検出器として機能するＯＣＴ（光干渉断層計）を用いて試料２０の内部を観察した。超音波振動による加振前の液面の様子を図５(a)に、超音波振動子４１に10Vの電圧を印加した加振中の液面及び仮想反射面の様子を図５(b)に示す。図５(a)では平坦な液面が観察されているのに対し、図５(b)では液面と仮想反射面の両方が揺れている様子が見て取れる。このように液面及び仮想反射面が揺れると、表面反射光と内部反射光の進行方向がいずれも変動して、それらの光を安定的に検出することが難しくなる。
【００４７】
試料２０の内部の様子をより詳細に確認するために、着色した水中に微粒子を分散させた試料２０についても同様にＯＣＴ（光干渉断層計）を用いて観察したところ、試料２０内部に対流が生じていることが確認された。即ち、音圧波面が鉛直方向だけでなく水平方向にも伝播することにより試料２０の内部に対流が生じ、液面及び仮想反射面の揺れが生じているものと考えられる。
【００４８】
上記の結果を踏まえ、音波波面の伝播の、鉛直方向の指向性を高めるべく、本実施例の光学特性測定装置では、試料セル２１の内部に、中空の筒状体２３を配置した。これは図６及び図７に示すシミュレーション結果から導出された構成である。このシミュレーションは、x-y平面に位置する直径20mmの円形振動面からz軸方向に放射される音圧波面の伝播のシミュレーションである。図６の上図は放射音圧波面の位相分布をy-z平面（y軸方向の幅20mm、z軸方向の長さ100mm）で切り出したもの、下図はx-z平面（x軸方向の幅1.0mm、z軸方向の長さ10mm）で切り出したものである。また、図７の上図は音圧分布をy-z平面（y軸方向の幅20mm、z軸方向の長さ100mm）で切り出したもの、下図はx-z平面（x軸方向の幅20mm、z軸方向の長さ100mm）で切り出したものである。これらのシミュレーション結果から、中心軸（z軸）近傍の音圧波面を切り出すことにより、音圧波面の伝播の鉛直方向の指向性を高めることができる。
【００４９】
[実験１]
筒状体２３の効果を確認するために、試料２０（純水）を収容した試料セル２１の底面に載置した超音波振動子４１の超音波発生面の中心位置の上部に素材が異なる筒状体２３（いずれも内径5mm）を配置し、液面及び仮想反射面をＯＣＴ（光干渉断層計）により観察した。使用した筒状体２３の材料は金属（アルミニウム、銅、真鍮）及び軟質材（ビニール、アメゴム、シリコーン）である。アメゴムは天然ゴムの一種である。図８にアルミニウムからなる筒状体２３を用いたときの様子、図９にビニールからなる筒状体２３を用いたときの様子を示す。
【００５０】
図８(a)に示すように、アルミニウムからなる筒状体２３を用い、10Vの電圧を印加した時には液面及び仮想反射面が安定することが確認できた。しかし、印加する電圧を15Vに高くすると再び液面及び液中の仮想反射面に揺れが生じた（図８(b)）。他の金属（銅、真鍮）についても同様の結果となった。
【００５１】
一方、図９(a)及び(b)に示すように、ビニールからなる筒状体２３を用いた場合には、10V、15Vのいずれの電圧を印加した時にも液面及び仮想反射面に揺れが生じることがなかった。シリコン樹脂からなる筒状体２３についても同様の結果となった。しかし、アメゴムからなる筒状体２３を用いたときには、筒状体２３による効果が確認されなかった。
【００５２】
上記の実験結果は、試料２０（上記実験では水）と筒状体２３を構成する材料の音響インピーダンスの差に基づき解釈することができる。金属（アルミニウム、銅、真鍮）はいずれも硬質材であり、その音響インピーダンスは試料２０（上記実験では水）の音響インピーダンス（1.46×106N・s/m3）に比べて数十倍も大きい（例えば銅の音響インピーダンスは44.6×106N・s/m3）。そのため、超音波振動子４１への印加電圧が小さい場合には筒状体２３による水平方向に伝播する音波がある程度は吸収されるものの、印加電圧が大きくなると水平方向に伝播した音波の一部が反射され、液面及び液中の仮想反射面に揺れが生じたと考えられる。
【００５３】
これに対し、軟質材であるビニールの音響インピーダンスは3.23×106N・s/m3、シリコーンの音響インピーダンスは1.28×106N・s/m3であり、上記の金属に比べると試料２０（水）との音響インピーダンスの差が小さい。そのため、水平方向に伝播する音波が吸収され、印加電圧を15Vまで高めても液面及び仮想反射面に揺れが生じなかったと考えられる。また、アメゴムは軟質材ではあるものの、その音響インピーダンスが1.46×106N・s/m3、即ち試料２０（水）とほぼ同じであったため、水平方向に伝播する音波を吸収するような筒状体２３として機能しなかったと考えられる。
【００５４】
[実験２]
次に、筒状体２３を二重管構造にした場合の効果を検証する実験も行った。この実験では、シリコンチューブ（内径4mm、外径6mm、長さ20mm）とビニールチューブ（内径4mm、外径6mm、長さ20mm）の外側に、それぞれアクリル製のカバー（内径6mm、外径15mm、長さ20mm）を取り付けた二重管構造の筒状体２３を用いて上記同様の実験を行った。また、比較のために、シリコンチューブ、ビニールチューブ、及び銅チューブ（シリコンチューブ及びビニールチューブの形状は上記同様。銅チューブは内径4mm、外径5mm、長さ20mm。カバーなし）を筒状体２３として用いた実験も行った。なお、上述の実験１とは使用した超音波振動子の種類が異なるため、印加電圧の大きさが上記実験と異なっている。
【００５５】
図１０に実験結果を示す。
まず、超音波振動子に4Vの電圧を印加した場合には、銅チューブ以外の筒状体２３の全てについて液面が安定する効果が確認された。そこで、印加する電圧を15Vまで高めたところ、シリコンチューブ及びビニールチューブについては液面の揺れが見られた一方、それぞれにカバーを取り付けた筒状体２３を用いた構成では液面の揺れが見られなかった。これは、シリコンチューブやビニールチューブといった軟質材からなるチューブのみを用いた場合、超音波の強度が大きくするとその直筒形状に撓み等が生じて音圧波面の伝搬の鉛直方向の指向性が低下するのに対し、それらチューブの直筒形状を維持するための補助部材を用いると、強度の大きい超音波を付与した場合でも音圧波面の伝搬の鉛直方向の指向性を維持できるためであると考えられる。この実験では筒状体２３を二重管構造としたが、補助部材（上記実験におけるアクリル製のカバー）の形状は必ずしも筒状である必要はなく、シリコンチューブ等の外周面を螺旋状に周回するばね形状の部材や、チューブの外周の長手方向に取り付けられる支持部材等を用いることによっても同様の効果が期待できる。
【００５６】
[実験３]
本実施例の筒状体２３を用いる効果を検証するために別の実験も行った。この実験では、本実施例の光学特性測定装置として、各辺が25mmである立方体状のアクリル製の試料セル２１内に、ゴムチューブの外側にアクリル製のカバーを配した二重管構造の筒状体２３（外径15mm、内径7mm、高さ20mm）を配置した（実施例）。また、比較例として直径32mm、高さ15mmのポリプロプレンからなるポーション容器を試料セル１２１（筒状体なし）として用いた（比較例）。実施例の試料セル２１を図１１に、比較例の試料セル１２１を図１２にそれぞれ示す。また、実施例の試料セル２１と比較例の試料セル１２１のそれぞれの底面に同一の超音波振動子４１（１４１）を載置した。この実験では、実施例の試料セル２１と比較例の試料セル１２１にそれぞれ着色した水を収容し、液面に対して53度の入射角で中心波長565nmの光を照射し、その反射光強度を測定した。装置の全体構成を図１３に示す。なお、上述の実験１及び２とは使用した超音波振動子の種類が異なるため、印加電圧の大きさが上記実験と異なる。
【００５７】
実施例と比較例のそれぞれについて、超音波振動子４１（１４１）への印加電圧の大きさを変更しつつ、液面からの反射光を測定して400〜800nmの波長範囲のスペクトルを得た。図１４に実施例の結果、図１５に比較例の結果を示す。
【００５８】
実施例の試料セル２１では、超音波振動子４１への印加電圧が3.5Vに達するまでの間はスペクトル全体の強度が印加電圧とともに大きくなり、4.0Vになるとスペクトル強度が低下した。この結果から、実施例の試料セル２１では最大印加可能電圧（液面及び仮想反射面に揺れを生じさせることなく測定可能な電圧の最大値）が3.5〜4.0Vの間の値であることが分かる。一方、比較例の試料セル１２１では、印加電圧が1.8Vに達するまでの間は実施例と同様にスペクトル全体の強度が印加電圧とともに大きくなったが、2.0Vとなった時点でスペクトル強度が低下した。つまり、比較例の試料セル１２１の最大印加可能電圧は1.8〜2.0Vの間の値であることが分かる。そして、実施例のスペクトルの最大強度（任意単位）が57（3.5Vの電圧印加時）であるのに対し、比較例のスペクトルの最大強度（実施例と共通の任意単位）は41（1.8Vの電圧印加時）であった。これらの実験結果からも、試料セル２１の内部に筒状体を配置することにより、最大印加可能電圧が先願の装置よりも高くなり、測定感度が向上することが分かる。
【００５９】
上記実施例は一例であって、本発明の趣旨に沿って適宜に変更することができる。上記実施例では、超音波振動子４１の超音波振動面の直上から液面に達する長さの筒状体を用いた。しかし、上述のとおり、１番目の仮想反射面（液面に最も近い仮想反射面）で反射される光量に比べると、２番目以降の仮想反射面で反射される光量は非常に少ないことを考慮すれば、筒状体２３の下端部は少なくとも上記１番目の仮想反射面よりも下方に位置していればよく、必ずしも超音波振動面（あるいはその直上）まで達する長さのものでなくてもよい。
【００６０】
また、変形例として以下のような構成の光学特性測定装置を構成することができる。この光学特性測定装置９０は、本体部９０aと蓋部９０bから構成される。本体部９０aは、図１６(a)に示すように、試料セル２１の底面の中央部に超音波振動子４１を固定したものである。蓋部９０bは、図１６(b)に示すように、蓋部本体９１の内部の上部の一方の側に配置されたLED光源等の小型の光源９２、他方の側に配置された小型の検出器９３、それらの間に配置された、斜面が鏡面である反射部材９４、及び該蓋部本体９１の内部の側面から延設された部材と一体化した、シリコーン、ビニール等からなる筒状体９５を備えている。なお、実際には超音波振動子４１、光源９２、及び検出器９３等に適宜の配線が接続されるが、図１６ではこれらの図示を省略している。
【００６１】
この光学特性測定装置９０を使用する際には、本体部９０aの試料セル２１内に分析対象の液体試料２０を収容し、続いて本体部９０aに蓋部９０bを装着する。そして、光源９２から所定の波長の光を照射する。光源９２から照射された光は反射部材９４により反射され、筒状体２３の内部の液面に入射する。液面で反射された光（表面反射光）及び液体試料２０の内部に形成された仮想反射面で反射された光（内部反射光）は、反射部材９４により反射され検出器９３に入射する。検出器９３では、入射光の強度に対応する信号を生成し、信号処理部（図示略）に出力する。
【００６２】
変形例の光学特性測定装置９０では、本体部９０aに液体試料２０を導入し、蓋部９０bを装着して各部を動作させるだけで、簡単に液体試料２０の光学特性を測定することができる。また、上述した実験３で使用した試料セルのように数cm（実験３では25mm）の大きさの試料セルを本体部９０aの試料セル２１として用いると、光学特性測定装置９０全体を数cmという小型に構成することができる。こうした光学特性測定装置９０は、例えば個人が自身の健康管理のために尿等に含まれる成分を測定する等の目的に好適に用いることができる。その場合、信号処理部に記憶部を設け、該記憶部に予め対照試料２０Ａの測定データ（例えばスペクトルデータ）を保存しておくことで、測定完了と同時に測定対象の液体試料２０と対照試料２０Ａのデータの差分を求め、該液体試料２０に含まれる成分の同定や定量を行うことができる。こうした信号処理部は、例えばスマートフォン等の携帯型端末で所定のプログラム（アプリケーション）を実行することにより具現化されるものとすることができる。これにより、使用者は小型の光学特性測定装置９０と所定のプログラム（アプリケーション）が保存された携帯型端末を用いるのみで簡単に自身の健康管理を行うことができる。
【符号の説明】
【００６３】
１０…光学特性測定装置
２０…液体試料（試料）
２０Ａ…対照試料
２１、１２１…試料セル
２３…筒状体
３０…光源
４１、１４１…超音波振動子
４２…駆動部
４２１…交流電源
４２２…周波数調整部
４２３…振幅調整部
４２４…操作部
５０…検出器
７０…データ処理部
７１…データ収集部
７２…データ解析部
７３…データベース
７４…吸光度算出部
８１…入力部
８２…モニタ
８３…ハーフミラー
９０…光学特性測定装置
９０a…本体部
９０b…蓋部
９１…蓋部本体
９２…光源
９３…検出器
９４…反射部材
９５…筒状体
【図１】
2019070590.tif 000003
【図２】
2019070590.tif 000004
【図３】
2019070590.tif 000005
【図４】
2019070590.tif 000006
【図５】
2019070590.tif 000007
【図６】
2019070590.tif 000008
【図７】
2019070590.tif 000009
【図８】
2019070590.tif 000010
【図９】
2019070590.tif 000011
【図１０】
2019070590.tif 000012
【図１１】
2019070590.tif 000013
【図１２】
2019070590.tif 000014
【図１３】
2019070590.tif 000015
【図１４】
2019070590.tif 000016
【図１５】
2019070590.tif 000017
【図１６】
2019070590.tif 000018